(57)【要約】
【課題】　電報を受信者に渡すために用いられた後は、他の用途、特に豪華さや美麗さが望まれる用途に、転用可能な電報用台紙を提供する。
【解決手段】　表側体と裏側体とを開閉自在に蝶着してなりかつ表側体または裏側体の内側などに電報保持手段を有する電報用台紙において、前記電報保持手段が前記表側体または裏側体などに着脱自在に設けられていることを特徴とする電報用台紙、特に前記電報保持手段が一辺を開口した袋状体であることを特徴とする電報用台紙や表側体、裏側体などに写真などの紙葉を透視可能な状態で保持する手段を設けた電報用台紙。
【選択図】　　　図１
0003100509.tif 000002
【実用新案登録請求の範囲】
【請求項１】
　開閉自在に蝶着されている表側体および裏側体ならびに前記表側体および裏側体の間に設けられている電報保持手段を有する電報用台紙において、前記電報保持手段が着脱自在に設けられていることを特徴とする電報用台紙。
【請求項２】
　前記電報保持手段が、一辺を開口した袋状体であることを特徴とする請求項１に記載の電報用台紙。
【請求項３】
　前記電報保持手段が、電報保持手段上に設けられた粘着手段により、前記表側体、裏側体または前記表側体および裏側体の間に設けられたシートに付着されていることを特徴とする請求項１または請求項２に記載の電報用台紙。
【請求項４】
　前記電報保持手段が、磁性体片および磁石間に生ずる磁力により、前記表側体、裏側体または前記表側体および裏側体の間に設けられたシートに付着されていることを特徴とする請求項１または請求項２に記載の電報用台紙。
【請求項５】
　表側体の内側、裏側体の内側および前記表側体および裏側体の間に設けられたシート上の少なくとも一に、表側体および裏側体より小型の紙葉を透視可能な状態で保持する紙葉保持手段が設けられていることを特徴とする請求項１ないし請求項４のいずれかに記載の電報用台紙。
【考案の詳細な説明】
【技術分野】
【０００１】
　本考案は、慶弔電報などを挟持し受信者に手渡すために用いられる電報用台紙に関するものである。
【背景技術】
【０００２】
　慶弔電報は、通常、開閉自在に蝶着されている表側体と裏側体とを有する電報用台紙に挟持されて受信者に手渡される。図５に電報用台紙の一例を示すが、この例では、表側体１６と裏側体１７が蝶着部１８により開閉自在に蝶着されており、裏側体１７の左辺近傍にポケット部１９が設けられており、このポケット部１９に電報２０の一端が挿入されて保持されている。受信者には、表側体１６と裏側体１７を閉じ、電報２０を挟持して手渡される。
【０００３】
　電報の中でも、結婚などの慶事における祝電は祝意を伝えるものであり、また弔電は遺族に弔意を伝えるとともに通夜、葬儀の際には霊前に供えられるものであるから、その台紙には豪華さや美麗さが強く要望される。そこで、慶弔電報用の台紙には、豪華、美麗にするための種々の加工や装飾が施されている。
【０００４】
　例えば、表側体と裏側体を、厚紙を積層して形成し、その積層体を美麗な布や紙で覆う、さらにその上に模様や図柄を描く、表側体などに窓部を設けその中に写真や絵画などを貼付する、表側体、裏側体を覆う美麗な布上や窓部内に刺繍を施すなど、豪華、美麗な感覚を与えるための工夫がされている。
【０００５】
　慶弔電報は、葬儀や結婚式後しばらくは飾られたりすることもあるが、その後保存される。慶弔電報用台紙も電報と同様記念となるものであり、また慶弔電報用の台紙は加工や装飾が施され美麗であるとともに高価なものであるので、多くの人々はその廃棄を望まない。
【０００６】
　しかし一方、慶弔電報用台紙は種々の加工や装飾が施され通常厚いものであり保存のためのスペースを必要とする。特に電報の数が多い場合、保存に必要なスペースが大きくなり問題となる。また、慶弔電報用台紙を単に保存するだけでは、その豪華さや美麗さが活用されず、資源の浪費にもなる。
【考案の開示】
【考案が解決しようとする課題】
【０００７】
　本考案は、前記の問題を解決する電報用台紙であって、電報を受信者に渡すために用いられた後は、他の用途、特に豪華さや美麗さが望まれる用途に転用可能な電報用台紙を提供することを課題とする。
【課題を解決するための手段】
【０００８】
　前記の課題は、以下に示す構成の考案により達成される。
　すなわち本考案は、開閉自在に蝶着されている表側体および裏側体ならびに前記表側体および裏側体の間に設けられている電報保持手段を有する電報用台紙において、前記電報保持手段が着脱自在に設けられていることを特徴とする電報用台紙である（請求項１）。
【０００９】
　ここで、表側体および裏側体の間に電報保持手段を設けるとは、表側体もしくは裏側体の内側、または表側体および裏側体の間に設けられたシート上に、電報保持手段が設けられていることを言う。また、表側体または裏側体の内側とは、表側体と裏側体を閉じたとき両者に挟まれる側を言う。
　着脱自在に設けられるとは、容易に電報保持手段の取り外しできるように、電報保持手段を設けることを言う。
【００１０】
　前記電報保持手段を、表側体もしくは裏側体の内側、または表側体および裏側体の間に設けられたシート上に設ける方法としては、粘着手段や磁力を用いて付着する方法、または、表側体および裏側体の間に電報保持機能を有するシート、例えばポケット部や掛止手段を有するシートを挟み、このシートを表側体、裏側体または蝶着部などにクリップで止める、粘着手段により粘着するなどの方法が例示される。
【００１１】
　本考案の電報用台紙を用いた場合、電報は、前記の電報保持手段により保持され、表側体と裏側体の間に挟持されて受信者に渡される。受信者に渡された後は、電報保持手段を電報用台紙から取り外すことにより、この電報用台紙を他の用途に用いることができる。電報保持手段は着脱自在に設けられているので、取り外しによっても電報用台紙のもつ豪華さや美麗さが損傷されることなく、また挟持した紙類を保護するなどの機能、机上などに立てて置くことができるなどの特性も損なわれることがない。従って、写真や図柄印刷物などの紙類を保管、展示する用途や、豪華さや美麗さが求められる他の用途などに好適に用いることができる。
【００１２】
　前記の電報用台紙における電報保持手段のより具体的な態様としては、一辺を開口した袋状体が例示される。本考案の請求項２はこの態様に該当し、前記の電報用台紙であって、電報保持手段が一辺を開口した袋状体であることを特徴とする電報用台紙である。
【００１３】
　前記のように、電報保持手段を表側体、裏側体または前記表側体および裏側体の間に設けられたシート上に設ける方法として、粘着手段や磁力を用いて付着する方法が例示される。
　粘着手段を用いる方法としては、例えば、前記のような袋状体に粘着テープの一片を、粘着面が袋状体の反対側になるよう固着し、この粘着面を表側体、裏側体または前記表側体および裏側体の間に設けられたシート上に押圧しその粘着力により付着する方法が挙げられる。電報保持手段の取り外し後も、豪華で美麗な外観を保つためには、粘着手段は好ましくは電報保持手段側に設けられる。
【００１４】
　本考案の請求項３は、粘着手段を用いる態様に該当し、前記の電報用台紙であって、電報保持手段が、電報保持手段上に設けられた粘着手段により、表側体、裏側体または前記表側体および裏側体の間に設けられたシートに付着されていることを特徴とする電報用台紙である。
　表側体、裏側体または前記表側体および裏側体の間に設けられたシート上の、粘着手段により粘着される部分を、透明の樹脂被覆により覆うなどの方法により補強すると、電報保持手段の取り外しによる豪華で美麗な外観の損傷を防ぐことができるので好ましい。
【００１５】
　付着する方法として磁力を用いる方法としては、例えば、前記のような袋状体に磁性体片または磁石を固定し、表側体、裏側体または前記表側体および裏側体の間に設けられたシートの対応する部分に磁性体片または磁石の他方を設ける方法が挙げられる。
　本考案の請求項４は、磁力を用いる態様に該当し、前記の電報用台紙であって、電報保持手段が、磁性体片および磁石間に生ずる磁力により、表側体、裏側体または前記表側体および裏側体の間に設けられたシートに付着されていることを特徴とする電報用台紙である。
【００１６】
　表側体、裏側体または前記表側体および裏側体の間に設けられたシートに設けられる磁性体片または磁石は、豪華で美麗な外観を保つため、外側より見えない部分に設けられることが好ましい。外側より見えない部分とは、例えば、表側体、裏側体または前記シートが厚紙を布で覆ったものである場合は、布に覆われた厚紙と布の間の部分を言う。
【００１７】
　前記のように、電報保持手段が取り除かれた後、本考案の電報用台紙は、好ましくは、その豪華さや美麗さを活かせる用途に用いられる。このような用途としては、写真や図柄が描かれたカードなどの紙葉を展示可能に保持し、保管するためのアルバムなどが例示される。
【００１８】
　本考案の請求項５は、このアルバムなどとして好適に用いることができる態様を提供するものであり、前記の電報用台紙の一態様であって、さらに表側体の内側、裏側体の内側および前記表側体および裏側体の間に設けられたシート上の少なくとも一に、表側体および裏側体より小型の紙葉を透視可能な状態で保持する紙葉保持手段が設けられていることを特徴とする電報用台紙である。
　透視可能な状態で保持とは、例えば、透明なシートで紙葉を覆うなどの方法により、シートの上から紙葉の図柄などを透視できるようにして、紙葉を保持することを言う。
【考案の効果】
【００１９】
　本考案の電報用台紙は、電報を受信者に渡すために用いられた後は、表側体、裏側体または前記表側体および裏側体の間に設けられたシートより電報保持手段を取り外し、他の用途に転用することができる。電報保持手段の取り外しの際に、その豪華さや美麗さが損なわれることはなく、また紙類などを保護、保管するなどの諸機能や硬くて机上に立てることが可能であるなどの諸特性も損なわれることがないので、紙類の保管や、豪華さや美麗さが望まれる他の用途に好適に用いられる。そして、他の用途に転用することにより、保存のためのスペースを節約することができ、また廃棄にともなう資源の浪費も防ぐことができる。
【００２０】
　特に、表側体の内側、裏側体の内側および前記表側体および裏側体の間に設けられたシート上の少なくとも一に、紙葉を透視可能な状態で保持する紙葉保持手段が設けられている本考案の電報用台紙は、電報保持手段の取り外し後、アルバムなどとして好適に用いられ、写真などを保管し適時展示するために用いることができる。
【考案を実施するための最良の形態】
【００２１】
　次に本考案を実施するための最良の形態を、図に基づいて説明する。
　図１は、本考案の電報用台紙の一例を示す斜視図である。
　この例の電報用台紙は表側体１と裏側体２からなり、これらは蝶着部３により開閉自在に蝶着されている。表側体１と裏側体２は硬い厚紙の積層により形成されており、この電報用台紙は、蝶着部３を開いた状態で机上などに立てて置くことができる。表側体１と裏側体２の図示されている面（内側）の反対側の面（図示されていない）は、美麗な布で覆われ豪華で美麗な感覚を与えるために刺繍などの装飾が施されている。
【００２２】
　裏側体２の内側の左端には、一辺を開口した袋状体の電報保持手段４が設けられており、電報７の一端を開口部６に挿入することにより電報７が保持される。図２は、この電報保持手段４を示す斜視図である。
【００２３】
　この例の電報保持手段４は、短辺に対する長辺の比の大きい矩形または台形でありその一長辺に開口部６を有し、開口されていない他の長辺を裏側体２の左辺に沿うようにして、裏側体２の内側に付着されている。この例では、短辺近傍の２カ所に、表面に粘着剤が塗布された樹脂シート片５が粘着手段として設けられ、この樹脂シート片５により付着がされている。粘着剤としては粘着力が適度なものが選ばれる。粘着力が大きすぎると取り外しの際に、裏側体２の粘着されていた部分を損傷しその外観を損ねる恐れがある。また、裏側体２の粘着される部分を透明な樹脂膜などにより覆う方法も、取り外しの際の外観の損傷を防ぐために好ましく採用される。
【００２４】
　電報保持手段４を裏側体２の内側に付着する手段は、前記の粘着剤が塗布された樹脂シート片などの粘着手段に限定されない。他に、電報保持手段４上に磁石を設け、その磁石に対応する位置の裏側体２の内部に、外観上は見えないように鉄片などの磁性体片を設け、磁力により付着する方法も例示される。磁石としては、小型で扁平なものが好ましく、例えばゴム磁石を用いることもできる。
【００２５】
　また、電報保持手段も前記のような袋状体に限定されない。例えば、表側体と裏側体の間にありポケット部を有するシートそのものを電報保持手段とし、それを裏側体２上に付着させ、このポケット部に電報の一端を挿入して保持する方法も採用される。電報保持手段４の数も１に限定されない。例えば、図３に示すような、ポケット部８を有するシート片９を裏側体２上の４カ所に付着し、ポケット部８に電報の４隅を挿入して保持する方法も採用することができる。これらのシート片９を裏側体２に付着させる方法としては、前記の袋状体の場合と同様な方法を採用することができる。
【００２６】
　図４は、本考案の電報用台紙の他の一例を示す斜視図である。
　この例の電報用台紙も、表側体１１と裏側体１２からなりこれらは蝶着部１３により開閉自在に蝶着されており、かつ裏側体１２の左端部には、一辺を開口した袋状体の電報保持手段１０が設けられているが、これは図中点線で示されている。
【００２７】
　図４に示すように、表側体１１上には２つの、裏側体１２上には１つの紙葉保持手段１４が設けられている。
　紙葉保持手段１４を設ける方法は特に限定されず、例えば、次の方法により設けることができる。
【００２８】
　表側体１１および裏側体１２に相当する大きさ、形状であって、紙葉保持手段１４に相当する矩形の部分（以下紙葉保持部と言う。）が描かれたシートを、表側体１１および裏側体１２の内側の全面に貼付する。シート上の紙葉保持部以外の部分には、装飾や模様などが描かれていることが、美麗な感覚を与えるためには好ましい。紙葉保持部より少し大きい矩形の透明樹脂シートを紙葉保持部に被せ、その外周の３辺を紙葉保持部の外周の３辺に沿って接着する。一辺は写真などの紙葉を挿入できるように開口されている。
【００２９】
　この態様の電報用台紙は、開口部１５より写真などの紙葉を挿入してアルバムとして利用することができる。
　なお、図４の例では窓部は矩形であるが、窓部の形状は矩形に限定されず、楕円形、菱型など、他の形状とすることも可能である。
【００３０】
　さらに、紙葉保持手段の形態は前記のものに限定されない。例えば、表側体１１、裏側体１２の内側全体に微粘着性を付与し、この表側体１１、裏側体１２の内側全体を透明な樹脂シートで覆い、表側体１１、裏側体１２の内側と軽く粘着させる形態も採用できる。写真などの紙葉は、透明な樹脂シートと表側体１１、裏側体１２の間に挟まれて保持される。なお、電報保持手段が粘着により付着される場合は、この透明な樹脂シートは、粘着部分の補強の機能も奏する。
　図４の例の電報用台紙においても、図１の例の場合と同様、表側体１１、裏側体１２の図示されていない側には、装飾が施されている。
【図面の簡単な説明】
【００３１】
【図１】本考案の電報用台紙の一例を示す斜視図である。
【図２】電報用台紙の電報保持手段の一例を示す斜視図である。
【図３】電報用台紙の電報保持手段の他の例を示す斜視図である。
【図４】本考案の電報用台紙の他の例を示す斜視図である。
【図５】従来の電報用台紙の一例を示す斜視図である。
【符号の説明】
【００３２】
　１、１１、１６　表側体
　２、１２、１７　裏側体
　３、１３、１８　蝶着部
　４、１０　　　　電報保持手段
　５　　　　　　　樹脂シート片
　６、１５　　　　開口部
　７、２０　　　　電報
　８、１９　　　　ポケット部
　１４　　　　　　紙葉保持手段
【図１】
0003100509.tif 000003
【図２】
0003100509.tif 000004
【図３】
0003100509.tif 000005
【図４】
0003100509.tif 000006
【図５】
0003100509.tif 000007